(57)【特許請求の範囲】
【請求項１】
立て坑内から地中に管を推進するために用いられる管推進装置であって、
前記管が載置される発進台と、
前記発進台上に載置された前記管に推進力を伝達するための押輪と、
前記立て坑の坑壁を反力支持体として前記押輪に推進力を及ぼすための複数のジャッキであってそれぞれの前記管の推進方向における両端部の間の部分が前記押輪に前記推進方向に対して垂直な水平軸線の回りに揺動可能に支持された複数のジャッキとを含む、管推進装置。
【請求項２】
立て坑内から地中に管を推進するために用いられる管推進装置であって、
前記管が載置される発進台と、
前記発進台上に載置された前記管に推進力を伝達するための押輪と、
前記立て坑の坑壁を反力支持体として前記押輪に推進力を及ぼすための複数のジャッキであってそれぞれの前記管の推進方向における両端部の間の部分が前記押輪に鉛直軸線の回りに揺動可能に支持された複数のジャッキとを含む、管推進装置。
【発明の詳細な説明】
【技術分野】
【０００１】
本発明は、地中への上下水道管、通信配線管等の設置を目的として地中に管路を形成するために用いられる装置、より詳細には地盤に構築された立て坑内から地中に管を推進するための管推進装置に関する。
【背景技術】
【０００２】
従来、管推進装置として、地中に推進される管が載置される発進台と、該発進台上に載置された前記管に推進力を伝達するための押輪と、前記立て坑の坑壁を反力支持体として前記押輪に推進力を及ぼすための複数のジャッキとを備えるものが提案されている。この管推進装置において、前記ジャッキは、前記管の推進方向に関する後方の端部（後端部）において孔壁に鉛直軸線の回りに揺動可能に支持されている（後記特許文献１参照）。
【０００３】
前記従来の管推進装置によれば、前記複数のジャッキを鉛直軸線の回りに揺動させることにより、前記ジャッキの姿勢を、前記管の推進方向に向けられた互いに平行な状態から上方から見てハの字形をなすように広げられた状態へと変化させることができる。これにより、前記発進台の上方により広い作業空間を現出させ、この作業空間を利用した発進台上への管の吊り降ろし作業及び管の発進準備作業を容易にすることができる。前記ハの字形の状態におかれたジャッキは、反対方向への揺動操作により、前記発進台上の管に推進力を付与するために再度前記平行状態にもどすことができる。
【０００４】
ところで、前記従来の管推進装置にあっては、前記ジャッキの揺動操作の際、前記ジャッキと前記管との間に設置された押輪を前記発進台上から一旦撤去し、再度据え直すことを要し、これに多大の労力と時間とを要するという問題がある。
【特許文献１】特開平１０−１７６４８２号公報
【発明の開示】
【発明が解決しようとする課題】
【０００５】
本発明の目的は、管に推進力を伝達するために用いられる押輪の撤去及び据え直しを必要としない、揺動可能のジャッキを備える管推進装置を提供することにある。
【課題を解決するための手段】
【０００６】
本発明は、立て坑内から地中に管を推進するために用いられる管推進装置に係り、前記管が載置される発進台と、前記発進台上に載置された前記管に推進力を伝達するための押輪と、前記立て坑の坑壁を反力支持体として前記押輪に推進力を及ぼすための複数のジャッキであってそれぞれの前記管の推進方向における両端部の間の部分が前記押輪に前記推進方向に対して垂直な水平軸線又は鉛直軸線の回りに揺動可能に支持された複数のジャッキとを備える。
【発明の効果】
【０００７】
本発明によれば、押輪を介して管に推進力を付与するためのジャッキが前記押輪に支持され水平軸線又は鉛直軸線の周りに揺動可能であることから、発進台上の押輪を前記立て坑の坑壁に近接させた位置で前記ジャッキを水平軸線又は鉛直軸線の周りに揺動操作することにより、前記管の推進方向に関して前記押輪の前方により広い作業空間を現出させることができ、またこのためには前記押輪の撤去及び据え直しを必要としない。
【発明を実施するための最良の形態】
【０００８】
図１〜図３を参照すると、地中に設けられた立て坑１０内に本発明に係る管推進装置１２が設置されている。管推進装置１２の作動により、コンクリート製、鋼製等の複数の管１４が立て坑１０内から地盤中（地中）に順次推進され、これにより、これらの管１４からなる管路が地中に敷設される。
【０００９】
管推進装置１２が設置される立て坑１０は、図示の円形断面の他、他の任意の横断面形状を有するものでよい。
【００１０】
管推進装置１２は、立て坑１０の底部上に配置された発進台１６を含む。
【００１１】
発進台１６は、管１４の推進方向（図１で見て左方向）に向けられた内外２対のレール１８，２０を含む。これらのレール１８，２０は、互いに平行に配置されかつ互いに連結されている。
【００１２】
内側の一対のレール１８上にはその伸長方向へ向けて管１４が載置される。また、外側の両レール２０上に全体に板状を呈する押輪２２が両レール２０を横断するように載置されている。管１４及び押輪２２はそれぞれ両レール１８上及び両レール２０上を滑動可能である。
【００１３】
押輪２２は、管１４の推進の際、管１４よりもその推進方向における後方の側に置かれ、後述する複数のジャッキ２４による推進力を管１４の後端部（管１４の推進方向における後方の側の端部）に伝達し、推進方向前方へ管１４を押し出す作用をなす。
【００１４】
管１４は、その推進に先立ち、地上から立て坑１０内に吊り降ろされ、内側の両レール１８上に載置される。内側の両レール１８上に載置された管１４は、その後、その後端部に接する押輪２２の押圧力を受けて内側の両レール１８上を滑動する。このとき、押輪２２は外側の両レール２０上を滑動する。その結果、管１４と押輪２２とが立て坑１０内を共に移動し、管１４が地中に圧入される。
【００１５】
管１４に対する推進力付与手段である複数のジャッキ２４が押輪２２に支持されている。ジャッキ２４は、立て坑１０の坑壁２６、図示の例では、発進台１６の後端部に固定され垂直上方へ伸びかつ坑壁２６に接する反力受け板２８を反力支持体として管１４に推進力を付与する。
【００１６】
図示の複数のジャッキ２４は上下二対（全部で４つ）の多段液圧ジャッキからなり、管１４の推進方向に向けられかつ互いに平行に配置されている。ジャッキ２４は図示の例に代えて単段の液圧ジャッキとし、また４以外の複数量とすることができる。
【００１７】
本発明にあっては、上方の一対のジャッキ２４のみが、水平軸線を有する軸３０（図１）の周りに揺動可能とされている。図示の例では、軸３０はジャッキ２４の側部から水平に伸びる左右一対の軸部からなり、両軸部が押輪２２の上部においてこれに回転可能に支承されている。このことから、上方の両ジャッキ２４はそれぞれ水平状態（図１〜図３）から鉛直状態（図４〜図６）へ、また鉛直状態から水平状態へと揺動させることができる。
【００１８】
上方の両ジャッキ２４は、これらの揺動運動を可能とすべく、下方の両ジャッキの後端部が反力受け板２８に単に連結されているのに対して、解除可能に連結されている。上方の両ジャッキ２４は、これらの後端部を解除可能に連結することに代えて、これらの後端部が反力受け板２８に単に当接するものとすることも可能である。
【００１９】
上方の各ジャッキ２４の後端部は、図示の例では、それぞれ、反力受け板２８に対して球面対偶をなし、かつ上方のジャッキ２４が揺動されるときに該ジャッキの端部が前記球面対偶状態を脱し得るように、連結されている（図１、図３及び図４参照）。
【００２０】
より詳細には、上方の各ジャッキ２４の後端部は凸状の球面３１ａを有し、反力受け板２８が前記凸状の球面を受け入れる凹状の球面３１ｂを有する。凹状の球面３１ｂには、その下部に切欠き３１ｃが設けられている。これによれば、上方のジャッキ２４が揺動運動をするとき、その凸状の球面３１ａが切欠き３１ｃを通過して前記球面対偶状態を脱し、また前記球面対偶状態に復することができる。なお、図示の例では、下方の各ジャッキ２４はその後端部において反力受け板２８と球面対偶をなしている。
【００２１】
上方の一対のジャッキ２４の揺動は、手動により、あるいは図示の例におけるように、各ジャッキ２４と押輪２２とに揺動可能に連結された両端部を有する、上下方向に伸びる小型の液圧ジャッキ３２を用いて行うことができる。
【００２２】
上方の両ジャッキ２４を前記水平状態から鉛直状態へ揺動させることにより、図３（又は図１）と図６（又は図４）との対比から見て取れるように、発進台１６の上方から両ジャッキ２４を実質的に除くことができ、これにより発進台１６の上方により広い空間を現出させることができる。
【００２３】
この空間は、言うまでもなく、押輪２２を前記管の推進方向に関する最後方に移動した状態において、最も広い。本発明によれば、上方の両ジャッキ２４が存しないこの空間を利用しての管１４の吊り降ろしを容易に行うことができる。また、このとき、押輪２２の移動、撤去等を必要とせず、これらを必要とする場合に要する労力、時間等を節減することができる。
【００２４】
図７〜図１０に示すように、上方の一対のジャッキ２４は、これらを前記水平軸線の周りに揺動可能とする図１〜図６に示す例に代えて、鉛直軸線の周りにすなわち水平面上を揺動可能とすることができる。
【００２５】
図７〜図１０に示す例では、上方の一対のジャッキ２４が前記鉛直軸線を有する軸３４の周りに揺動可能とされている。軸３４は各ジャッキ２４から伸びる上下一対の軸部からなり、両軸部において各ジャッキ２４が押輪２２の上部に回転可能に支承されている。
【００２６】
また、先に示した例におけると同様、上方の各ジャッキ２４がその後端部において反力受け板２８に対して解除可能の球面対偶をなしている。すなわち、上方の各ジャッキ２４の後端部が凸状の球面３５ａを有し、反力受け板２８が前記凸状の球面を受け入れる凹状の球面３５ｂを有する。凹状の球面３５ｂには、その側部に切欠き３１ｃが設けられている。これによれば、上方のジャッキ２４が水平方向に揺動運動をするとき、その凸状の球面３５ａが切欠き３５ｃを通過して前記球面対偶状態を脱し、また前記球面対偶状態に復することができる。
【００２７】
さらに、この例においても、ジャッキ２４を揺動させるための小型の液圧ジャッキ３２が用いられている。液圧ジャッキ３２は、各ジャッキ２４と押輪２２とに揺動可能に連結された両端部を有し、ほぼ水平に伸びている。
【００２８】
液圧ジャッキ３２の作動により、発進台１６の上方空間において互いに平行状態にある両ジャッキ２４が水平面上を軸３４の周りに揺動し、その一部（推進方向における前部）が発進台１６の前記上方空間の外方に移動し、全体にハの字形をなす。このとき、先の例におけると同様、ジャッキ２４の後端部は、前記ハの字形をなすように揺動されるときに球面対偶状態にあった反力受け板２８を離れ、平行状態に戻るときに反力受け板２８に受け入れられ、再び球面対偶をなす。
【００２９】
その結果、図９と図１０との対比から見て取れるように、発進台１６の上方から両ジャッキ２４を除いた空間、すなわち広い空間が現出する。
【図面の簡単な説明】
【００３０】
【図１】本発明に係る管推進装置の部分断面を有する側面図である。
【図２】管推進装置の正面図である。
【図３】管推進装置の平面図である。
【図４】管推進装置の上方のジャッキを上方に向けて揺動させた状態における側面図である。
【図５】管推進装置の上方のジャッキを上方に向けて揺動させた状態における正面図である。
【図６】管推進装置の上方のジャッキを上方に向けて揺動させた状態における平面図である。
【図７】本発明の他の例に係る管推進装置の側面図である。
【図８】他の例の管推進装置の正面図である。
【図９】他の例の管推進装置の平面図である。
【図１０】管推進装置の上方のジャッキを揺動させてハの字形にした状態における平面図である。
【符号の説明】
【００３１】
１０  立て坑
１２  管推進装置
１４  管
１６  発進台
２２  押輪
２４  ジャッキ
【図１】
0004405447.tif 000002
【図２】
0004405447.tif 000003
【図３】
0004405447.tif 000004
【図４】
0004405447.tif 000005
【図５】
0004405447.tif 000006
【図６】
0004405447.tif 000007
【図７】
0004405447.tif 000008
【図８】
0004405447.tif 000009
【図９】
0004405447.tif 000010
【図１０】
0004405447.tif 000011